(57)【要約】【課題】方位探知空中線を構成する三本のポール状受信空中線の設置位置を、容易に、かつ、精度よく正三角形の位置に位置決めできる方位探知空中線の設置位置決め治具を提供する。【解決手段】三本のポール状受信空中線により電波源方位を探知する方位探知空中線の設置位置決め治具であって、可撓性を有した材料からなり、平面上で展開すると所定大きさの正三角形になると共に、ポール状受信空中線１を上記平面に対して垂直方向に支持するための杭（支持部材杭）４が挿入される杭（支持部材）挿入穴３ａを各頂点部に設けている。【選択図】        図１
2004187209.tif 000002
【特許請求の範囲】
【請求項１】
可撓性を有した材料からなり、平面上で展開すると所定大きさの正三角形になると共に、ポール状空中線を上記平面に対して垂直方向に支持するための支持部材が挿入される支持部材挿入穴を各頂点部に設けていることを特徴とする方位探知空中線の設置位置決め治具。
【請求項２】
ポール状空中線を支持するための支持部材の外周に鍔部が一体的に形成された三つの支持部材一体型の円盤状部材と、
上記三つの支持部材一体型の円盤状部材の鍔部に設けられている連結穴に連結された同一長さの三本のロープとで構成されていることを特徴とする方位探知空中線の設置位置決め治具。
【請求項３】
上記三本のロープは、上記三つの支持部材一体型の円盤状部材と分離可能であることを特徴とする請求項２に記載の方位探知空中線の設置位置決め治具。
【請求項４】
ポール状空中線を支持するための支持部材が挿入される支持部材挿入穴を両端に設け、長さが互い等しい三本の剛性を有した位置決め用部材で構成されていることを特徴とする方位探知空中線の設置位置決め治具。
【請求項５】
上記三本の剛性を有した位置決め用部材は、その長さが可変できる構造であることを特徴とする請求項４に記載の方位探知空中線の設置位置決め治具。
【請求項６】
ポール状空中線を支持するための支持部材が挿入される支持部材挿入穴を両端部に設けた剛性を有した位置決め用部材と、
上記位置決め用部材の両端部に連結されたロープと、
中心部にポール状空中線を支持するための支持部材が挿入される支持部材挿入穴を設ける共に、この支持部材挿入穴を挟んで上記ロープが内部を貫通する円盤状部材と、
上記ロープを緊張させた状態で上記剛性を有した位置決め用部材の両端部に設けられた二つの支持部材挿入穴と上記円盤状部材に設けられた支持部材挿入穴とが正三角形を形成する位置で、上記円盤状部材に上記ロープを係止する係止部材を備えたことを特徴とする方位探知空中線の設置位置決め治具。
【請求項７】
上記三本のロープは、一端に支持部材挿入穴を有した端子を設け、他端にロープを巻き取る支持部材一体型リール式ワイヤロープ巻き取り部材を設けたことを請求項２に記載の方位探知空中線の設置位置決め治具。
【請求項８】
三つの上記支持部材一体型の円盤状部材は、支持部材一体型リール式ワイヤロープ巻き取り部材であることを特徴とする請求項２に記載の方位探知空中線の設置位置決め治具。
【請求項９】
支持板と、一端に支持部材挿入穴を設け、所定長さの剛性を有した三本の位置決め用部材と、上記支持板に上記三本の位置決め用部材をそれぞれ回動自在に取り付ける三つのヒンジを備え、
上記三つのヒンジにより上記三本の位置決め用部材を平面上で展開すると、上記三本の位置決め用部材の支持部材挿入穴が正三角形を形成することを特徴とする方位探知空中線の設置位置決め治具。
【請求項１０】
支持板と、一端に支持部材挿入穴を有し、所定長さの三本の位置決め用ベルトと、上記支持板に上記三本の位置決め用ベルトをそれぞれ巻き取り自在に取り付ける三つのベルト巻き取り機構を備え、
上記三本の位置決め用ベルトをそれぞれベルト巻き取り機構から引き出すと、上記三本の位置決め用ベルトの支持部材挿入穴が平面上で正三角形を形成することを特徴とする方位探知空中線の設置位置決め治具。
【請求項１１】
端部に支持部材挿入穴を設けた３本の伸縮自在なアームと、上記３本のアームが取り付けられ、油圧ポンプの駆動により上記３本のアームの端部に設けられた３つの支持部材挿入穴が平面上で所定大きさの正三角形を形成する油圧ユニットを備えたことを特徴とする方位探知空中線の設置位置決め治具。
【請求項１２】
略中央部に支持部材挿入穴を設けると共に、該支持部材挿入穴の中心軸を頂点とする１２０度の角度に棒状の位置決め用部材を挿入して固定する第一および第二の位置決め用部材挿入部を有した位置決めベースと、
一端が上記第一あるいは第二の位置決め用部材挿入部に挿入され、他端にポール状空中線を支持するための支持部材が挿入される支持部材挿入部が設けられた棒状の位置決め用部材を備え、
上記位置決めベースの略中央部に設けられた支持部材挿入穴と、上記第一および第二の位置決め用部材挿入部に挿入されたときの上記位置決め用部材の他端に設けられた支持部材挿入部とにより平面上で正三角形を形成することを特徴とする方位探知空中線の設置位置決め治具。
【発明の詳細な説明】
【０００１】
【発明の属する技術分野】
この発明は、三本のポール状の受信空中線を正三角形に配置して、それぞれの受信感度の移相差を認識することにより受信電波方位を認識する方位探知空中線の設置位置決め治具に関するものである。
【０００２】
【従来の技術】
従来は、受信電波方位を認識するための三本のポール状（棒状）の受信空中線を地面に対して鉛直方向に、かつ、三本の受信空中線の中心軸が正三角形になるように配置するために、以下に説明するような方法によりそれぞれの受信空中線の位置決めを行っていた。
まず、三本の受信空中線のうちの第１の受信空中線を設置する地面上の位置Ａを決定する。
そして、この位置Ａを中心として所定の一定の長さを有するメジャリングロープの片端で地面上に円弧を描く。
【０００３】
次いで、その円弧上の任意の位置Ｂを第２の受信空中線を設置する位置とし、この位置Ｂを中心として同様に上記メジャリングロープを用いて地面上に円弧を描く。
次に、この位置Ａおよび位置Ｂをそれぞれ中心として上記メジャリングロープを用いて同様に地面上に円弧を描き、描いた二つの円弧の交点を位置Ｃとする。このようにして決定された地面上の位置Ａ、位置Ｂ、位置Ｃは、受信空中線を設置するべき地面上において所定大きさの正三角形を形成している。
このようにして形成された所定大きさの正三角形の各頂点に位置決めされた位置Ａ、位置Ｂ、位置Ｃにおいて、それぞれ受信空中線を鉛直方向に設置する。
【０００４】
【発明が解決しようとする課題】
上述した従来の三本の受信空中線の設置位置を決定する方法では、メジャリングロープでの円弧の描き方によっては、受信空中線の設置位置の間隔を精度よく設定するのが困難であり、三本の受信空中線の中心軸が正確な正三角形になるように配置するのが困難であった。
また、メジャリングロープの片端を持って地面上に円弧を描く作業は容易ではない。
【０００５】
この発明は、このような問題点を解決するためになされたものであり、方位探知空中線を構成する三本のポール状の受信空中線の設置位置を、容易に、かつ、精度よく正三角形の位置に位置決めすることができる方位探知空中線の設置位置決め治具を提供することを目的としている。
【０００６】
【課題を解決するための手段】
この発明に係る方位探知空中線の設置位置決め治具は、可撓性を有した材料からなり、平面上で展開すると所定大きさの正三角形になると共に、ポール状空中線を上記平面に対して垂直方向に支持するための支持部材が挿入される支持部材挿入穴を各頂点部に設けている。
【０００７】
また、この発明に係る方位探知空中線の設置位置決め治具は、ポール状空中線を支持するための支持部材の外周に鍔部が一体的に形成された三つの支持部材一体型の円盤状部材と、上記三つの支持部材一体型の円盤状部材の鍔部に設けられている連結穴に連結された同一長さの三本のロープとで構成されている。
【０００８】
また、この発明に係る方位探知空中線の設置位置決め治具は、ポール状空中線を支持するための支持部材が挿入される支持部材挿入穴を両端に設け、長さが互い等しい三本の剛性を有した位置決め用部材で構成されている。
【０００９】
【発明の実施の形態】
以下、本発明の一実施の形態を図面に基づいて説明する。
なお、各画間において、同一符号は、同一あるいは相当のものを表す。
実施の形態１．
図１は、実施の形態１による方位探知空中線の設置位置決め治具の構造を説明するための図である。
図において、１は受信空中線（単に、空中線とも称す）、１ａは受信空中線１の地上側端部に形成された嵌合穴、２は可撓性を有し、地面上で展開すると正三角形状になる位置決め用部材（位置決め治具）、３は正三角形状の位置決め部材２の各頂点部に形成された杭挿入用端部、３ａは各杭挿入用端部３に設けられた杭（支持部材）挿入穴、４は受信空中線１の端部に形成された嵌合穴１ａに嵌合する杭（支持部材）である。
【００１０】
正三角形状の位置決め用部材２は、帆布や皮などのように伸び縮みがほとんどなく、かつ、折りたたみや巻回が自在な可撓性を有した部材で製作されている。図１（ａ）は、この正三角形状をした位置決め用部材２を地面上で展開したときの状態を示す図であり、各頂点部には杭挿入用端部３がそれぞれ設けられている。
また、位置決め用部材２を展開すると、三つの杭挿入用端部３にそれぞれ設けられている三つの杭挿入穴３ａの中心は正三角形の各頂点を形成する。
三本のポール状の受信空中線からなる方位探知空中線を設置するに際しては、まず、所望の設置位置において、位置決め用部材２が正三角形状となるように、撓ませることなく地面上に展開する。
【００１１】
そして、正三角形状をした位置決め用部材２の各頂点部に設けられている三つの杭挿入穴３ａをそれぞれ貫通して、受信空中線１と嵌合する杭４が鉛直方向に差し込まれ、地中に固定される。
この三つの杭挿入穴３ａの相互の位置精度は、位置決め用部材２の寸法精度で定まる機械的な精度を有しているため、杭挿入穴３ａに合わせて杭４を地中に差し込むことにより、容易に精度よく三本の杭４の取付け位置が決まる。
【００１２】
図１（ｂ）は、地中に差し込まれた杭４に受信空中線１を取付けるときの様子を示したものである。
図１（ｂ）に示すように、地中に鉛直方向に差し込まれた杭４の他端部は、杭挿入用端部３より地上に突出している。
また、受信空中線１の地面側端部には、地上に突出している杭４の端部が嵌合され、受信空中線１を杭４に固定的に取付けるための嵌合穴１ａが設けられている。
そして、受信空中線１の嵌合穴１ａに杭４の端部を嵌合させることにより、受信空中線１は杭４に支持されて、鉛直方向に設置される。
即ち、杭４は、受信空中線１を鉛直方向に支持する支持部材である。
なお、位置決め用部材２の展開時に、三つの杭挿入穴３ａの中心が形成する正三角形の大きさは、三つの杭挿入穴３ａの位置に設置される三本の受信空中線の中心軸間の距離が受信電波方位を認識できるのに必要な距離となる所定の大きさであればよい。
【００１３】
前述したように、三つの杭挿入穴３ａの相互の位置精度は位置決め用部材２の機械的寸法精度で定まる。
そのため、杭挿入穴３ａを貫通して地中に差し込まれた三本の杭４にそれぞれ支持された三本の受信空中線の相互の位置精度は、位置決め用部材２の展開時の三つの杭挿入穴３ａの相互の位置精度によって決まる。
従って、従来のように方位探知空中線の設置場所において、三本の受信空中線を正三角形に設置するための設置位置をメジャリングロープ等により求める作業は不要である。
また、位置決め用部材２は可撓性を有しているので、容易に折りたたみや巻回が可能であり、コンパクトに収納することができる。
図１（Ｃ）は、位置決め用部材２をロール状に巻き込んだときの状態を示している。
なお、三本の受信空中線が設置される位置は、厳密な正三角形を形成してなくても実用上問題のない場合が多い。即ち、略正三角形であってもよい。
【００１４】
以上説明したように、本実施の形態による方位探知空中線の設置位置決め治具は、地面上で所定大きさの正三角形を形成する各頂点位置において鉛直方向に設置された三本のポール状受信空中線により電波源方位を探知する方位探知空中線の設置位置決め治具であって、可撓性を有した材料からなり、平面上で展開すると上記所定大きさの正三角形になると共に、ポール状受信空中線を鉛直方向に支持するための杭（支持部材）が挿入される杭（支持部材）挿入穴が各頂点部に設けられている。
このため、この方位探知空中線の設置位置決め治具を用いることにより三本のポール状受信空中線からなる方位探知空中線の設置位置決め作業を、精度よく、且つ、容易に行えると共に、丸め込むことによりコンパクトに収納できるので、持ち運びに便利である。
【００１５】
実施の形態２．
図２は、実施の形態２による方位探知空中線の設置位置決め治具の構造を説明するための図である。
図において、５は杭一体型の円盤状部材、５ａは連結穴、６はワイヤロープ、である。
なお、三本のワイヤロープ６の長さは同一である。
杭一体型の円盤状部材５は、図から明らかなように、実施の形態１による方位探知空中線の設置位置決め治具における杭（即ち、地上面においてポール状の受信空中線を鉛直方向に固定するための支持部材）４の外周に円盤状の鍔（つば）を一体的に形成したものである。
【００１６】
そして、杭（支持部材）一体型の円盤状部材５の鍔の部分には、円盤状の鍔の中心（即ち、杭部の軸中心）に対し６０度の角度の位置にワイヤロープ６を連結するための二つの連結穴５ａが設けられている。
なお、二つの連結穴５ａのそれぞれの中心と円盤状の鍔の中心との間の距離は等しいものとする。
図２（ａ）は、本実施の形態による方位探知空中線の設置位置決め治具の使用時の状態を示す図である。
【００１７】
図２（ａ）に示すように、本実施の形態による方位探知空中線の設置位置決め治具は、上述したような構造の杭一体型の円盤状部材５を３個用い、それぞれの連結穴５ａに所定の同一長さの三本のワイヤロープを連結したものである。
三本のポール状受信空中線からなる方位探知空中線を設置する際には、まず、１つの杭一体型の円盤状部材５の設置位置を決める。
そして、この位置において杭一体型の円盤状部材５の杭部を、その鍔部が地面に当接するまで鉛直方向に地中に差し込み固定する。
【００１８】
次に、三つの杭一体型の円盤状部材５に連結された三本のワイヤロープを均等に緊張した状態で、残る二つの杭一体型の円盤状部材５の設置位置を決め、それぞれの位置において、杭一体型の円盤状部材５の杭部を、その鍔部が地面に当接するまで鉛直方向に地中に差し込み固定する。
これにより、図２（ａ）に示すように、三つの杭一体型の円盤状部材５を所定の大きさの正三角形状に位置決めし、地上面に固定することができる。
図２（ｂ）は、位置決め固定された杭一体型の円盤状部材５に受信空中線１を取付けるときの様子を示したものである。
【００１９】
図２（ｂ）に示すように、位置決め固定された杭一体型の円盤状部材５の杭部は、鍔部より上側の端部が地上面より突出している。
また、実施の形態１で説明したように、受信空中線１の地面側端部には、地上に突出している杭部の端部が嵌合され、受信空中線１を杭一体型の円盤状部材５の杭部に固定的に取付けるための嵌合穴１ａが設けられている。
そして、受信空中線１の嵌合穴１ａに杭一体型の円盤状部材５の杭部の端部を嵌合させることにより、受信空中線１は鉛直方向に設置される。
【００２０】
なお、上述の説明では、杭（支持部材）一体型の円盤状部材５の鍔の部分に、円盤状の鍔の中心に対し６０度の角度の位置にワイヤロープ６を連結するための連結穴を二つ設けているが、円盤状の鍔部分の任意の位置に１つの連結穴を設け、この連結穴に二本のワイヤロープを連結させてもよい。
また、ロープはワイヤロープに限るものではなく、繊維製のロープあるいは皮製などのロープなどであってもよいことは言うまでもない。
【００２１】
以上説明したように、本実施の形態による方位探知空中線の設置位置決め治具は、地面上で所定大きさの正三角形を形成する各頂点位置において鉛直方向に設置された三本のポール状受信空中線により電波源方位を探知する方位探知空中線の設置位置決め治具であって、ポール状受信空中線を鉛直方向に支持するための杭（支持部材）の外周に鍔部が一体的に形成された三つの杭一体型の円盤状部材と、上記三つの杭一体型の円盤状部材の鍔部に設けられている連結穴に連結された同一長さの三本のロープとで構成されている。
このため、方位探知空中線の設置位置において、同一長さの三本のロープを緊張させた状態で三つの杭一体型の円盤状部材を設置することにより、三本のポール状受信空中線からなる方位探知空中線の設置位置決め作業を、精度よく、且つ、容易に行えると共に、収納時には、さらにコンパクトに収納できるので、持ち運びに非常に便利である。
【００２２】
実施の形態３．
上述の実施の形態２による方位探知空中線の設置位置決め治具では、三つの杭一体型の円盤状部材の鍔部に連結穴を設け、この連結穴に同一長さのワイヤロープを常時連結した構造であった。
これに対して、本実施の形態による方位探知空中線の設置位置決め治具は、三本のワイヤロープを杭一体型の円盤状部材から分離できるようにしたことを特徴とする。
図３は、実施の形態３による方位探知空中線の設置位置決め治具の構造を説明するための図であり、図において、７は鍔（つば）付き杭、８は杭挿入穴付きワイヤロープである。
なお、三本の杭挿入穴付きワイヤロープの長さは同一である。
図３（ａ）は、本実施の形態による方位探知空中線の設置位置決め治具の使用時の状態を示す図である。
【００２３】
図３（ａ）に示すように、鍔付き杭（杭一体型の円盤状部材と称することもできる）７は、ポール状の受信空中線を鉛直方向に固定するための杭（例えば、実施の形態１におけるポール状受信空中線の支持部材である杭４）の外周に鍔が一体的に形成されたものである。
また、図３（ｂ）は、杭挿入穴付きワイヤロープ８の構造を示す図であり、図において、８ａは杭挿入穴付きワイヤロープ８の両端部の端子８ｂに設けられた杭挿入穴である。
なお、杭挿入穴付きワイヤロープ８は、ワイヤ製のロープに限るものではなく、繊維製のロープあるいは皮製などのロープなどであってもよいことは言うまでもない。
【００２４】
本実施の形態による方位探知空中線の設置位置決め治具は、三つの鍔付き杭７と三本の所定の同一長さの杭挿入穴付きワイヤロープ８とで構成されている。
方位探知空中線を設置する際には、まず、二本の杭挿入穴付きワイヤロープ８の一端側の端部に設けられている杭挿入穴８ａに一つの鍔付き杭７の先端部側（地中に差し込まれる側の端部）を挿入し、この鍔付き杭７を鍔部が地面に当接するまで鉛直方向に地中に差し込み固定する。
次に、残る二つの鍔付き杭７の先端部側に二本の杭挿入穴付きワイヤロープ８の一端側の端部に設けられている杭挿入穴８ａを挿入する。
そして、図３（ａ）に示すように三本の杭挿入穴付きワイヤロープ８を均等に緊張させた状態で、残る二つの鍔付き杭７の設置位置を決め、この位置で鍔部が地面に当接するまで二つの鍔付き杭７を鉛直方向に地中に差し込み固定する。
【００２５】
これにより、図３（ａ）に示すように、三つの鍔付き杭７を所定大きさの正三角形状に位置決めし、地上面に固定することができる。
図３（ｃ）は、位置決め固定された鍔付き杭７に受信空中線１を取付けるときの様子を示したものである。
図３（ｃ）に示すように、位置決め固定された鍔付き杭７は、その鍔部より上側の端部が地上面より突出している。
また、実施の形態１で説明したように、受信空中線１の地面側端部には、地上に突出している杭の端部が嵌合され、受信空中線１を鍔付き杭７の地上面より突出している側の端部に固定的に取付けるための嵌合穴１ａが設けられている。
そして、受信空中線１の嵌合穴１ａに鍔付き杭７の地上面より突出している側の端部を嵌合させることにより、受信空中線１は鉛直方向に設置される。
【００２６】
以上説明したように、本実施の形態による方位探知空中線の設置位置決め治具の三本のロープは、所定の同一長さであり、三つの鍔付き杭７（即ち、杭一体型の円盤状部材）と分離可能（着脱可能）であるので、収納時の作業を精度よく、且つ、容易に行えると共に、さらにコンパクトな収納が容易となり、持ち運びに便利である。
【００２７】
実施の形態４．
上述の実施の形態３による方位探知空中線の設置位置決め治具では、所定大きさの正三角形を形成するために、同一長さの三本の杭挿入穴付きワイヤロープを用いたが、本実施の形態による方位探知空中線の設置位置決め治具は、同一長さの三本の剛性を有した棒状の杭挿入穴付き位置決め用部材（例えば、杭挿入穴付きパイプ）を用いたことを特徴とする。
実施の形態２あるいは３のようにロープを用いた場合には、その緊張状態が均等でなかったり、あるいは弛んでいたりすると、地面上に形成される正三角形の一辺の長さが同一にならない可能性があるが、本実施の形態のように、ロープに代えて所定長さの変形や伸び縮みのしない三本の剛性を有した棒状の部材（例えば、パイプなど）を位置決め用部材として用いることにより、常に正確な正三角形を形成できる。
【００２８】
図４は、実施の形態４による方位探知空中線の設置位置決め治具の構造を説明するための図であり、図において、４は杭（支持部材）、９は剛性を有した位置決め用部材の一例である棒状の杭挿入穴付きパイプ、９ａは該杭挿入穴付きパイプ９の両端子９ｂに設けられた杭挿入穴である。
なお、三本の杭挿入穴付きパイプ９の長さは同一である。
図４（ａ）は、本実施の形態による方位探知空中線の設置位置決め治具の使用時の状態を示す図である。
また、図４（ｂ）は、杭挿入穴付きパイプ９の構造を示す図である。
図４（ｂ）に示すように、杭挿入穴付きパイプ９の両端には杭挿入穴９ａが設けられた端子９ｂが取り付けられている。
【００２９】
方位探知空中線を設置する際には、設置地点において、まず、三本の杭挿入穴付きパイプ（即ち、剛性を有した杭挿入穴付き位置決め用部材）９が正三角形を形成するように、両端に設けられている杭挿入穴９ａを一致させて地面上に配置する。
そして、正三角形の各頂点の位置に相当する杭挿入穴９ａに、ポール状の受信空中線を鉛直方向に取付けるための杭４を鉛直方向に挿入し、地面に差し込んで固定する。
これにより、図４（ａ）に示すように、三つの杭４を杭挿入穴付きパイプ９の長さで決まる所定大きさの正三角形状に位置決めし、地上面に固定することができる。
【００３０】
また、受信空中線１の地面側端部には、地上に突出している杭４の端部が嵌合され、受信空中線１を杭４の地上面より突出している側の端部に固定的に取付けるための嵌合穴１ａが設けられている。
そして、受信空中線１の嵌合穴１ａに杭４の地上面より突出している側の端部を嵌合させることにより、受信空中線１は鉛直方向に設置される。
【００３１】
以上説明したように、本実施の形態による方位探知空中線の設置位置決め治具は、ポール状受信空中線を鉛直方向に支持するための杭（支持部材）が挿入される杭挿入穴を両端に設け、長さが互い等しい三本の剛性を有した杭挿入穴付き位置決め用部材で構成されているので、常に三本の受信空中線の設置位置を正確な正三角形状に容易にすることができると共に、三本の剛性を有した杭挿入穴付き位置決め用部材は分離可能であるので、収納時の作業も容易に行える。
【００３２】
実施の形態５．
図５は、実施の形態５による方位探知空中線の設置位置決め治具に用いられる剛性を有した杭挿入穴付き位置決め用部材の構造例を説明するための図である。上述の実施の形態４においては、正三角形の一辺を形成するための剛性を有した杭挿入穴付き位置決め用部材９は１本の一体的な構造物であった。
これに対して、本実施の形態による方位探知空中線の設置位置決め治具に用いられる剛性を有した杭挿入穴付き位置決め用部材は、その長さを可変できる構造を有し、収納時には短くできることを特徴とする。
【００３３】
例えば、図５（ａ）は、実施の形態による剛性を有した杭挿入穴付き位置決め用部材９の一変形例を示したものである。
図において、１０は剛性を有した杭挿入穴付き位置決め用部材であり、剛性を有した杭挿入穴付き位置決め用部材１０は、杭挿入穴１０ａを端部に有した第一の剛性部材１０Ａと杭挿入穴１０ａを端部に有した第二の剛性部材１０Ｂから構成され、収納時には第一の剛性部材１０Ａの内部に形成した空洞部に第二の剛性部材１０Ｂを挿入して、使用時（即ち、正三角形の一辺を形成する時）よりも長さを短くできるようになっている。
なお、図示はしていないが、使用時には全体の長さが所定の長さとなる位置で第一の剛性部材１０Ａと第二の剛性部材１０Ｂを固定できるようになっている。即ち、図５（ａ）に示した剛性を有した杭挿入穴付き位置決め用部材１０は、長さが伸縮自在の構造を有しているので、収納時には全体の長さを短くすることができる。
【００３４】
また、  図５（ｂ）は、他の変形例を示したもので、剛性を有した杭挿入穴付き位置決め用部材１１は、杭挿入穴１１ａを端部に有した第一の剛性部材１１Ａと杭挿入穴１１ａを端部に有した第二の剛性部材１１Ｂから構成されている。
そして、第二の剛性部材１１Ｂの端面に突出して形成されたねじ部を、第一の剛性部材１１Ａの端面に形成されているねじ穴部にねじ込むことにより、使用時には必要な所定の長さ（即ち、所定大きさの正三角形の１辺の長さ）の剛性を有した杭挿入穴付き位置決め用部材１１として組立てられる。
この構造によれば、収納時には、剛性を有した杭挿入穴付き位置決め用部材１１を第一の剛性部材１１Ａと第二の剛性部材１１Ｂに分離することにより、全体の長さを短くすることができるので、コンパクトに収納できる。
【００３５】
また、図５（ｃ）は、さらに他の変形例を示したもので、剛性を有した杭挿入穴付き位置決め用部材１２は、その略中央部でヒンジ（蝶番）により折りたためる構造となっている。
従って、収納時には、折りたたんで全体の長さを短くすることができ、コンパクトに収納できる。
以上説明したように、本実施の形態による方位探知空中線の設置位置決め治具の杭（支持部材）挿入穴付き位置決め用剛性部材は、その長さを可変できる構造を有しているので、三本の受信空中線の設置位置を正確な正三角形状に容易にすることができると共に、収納時にはコンパクト収納できる。
なお、図５（ａ）、（ｂ）、（ｃ）に示した、伸縮、連結、あるいは折りたたみの構造は、何段あってもよい。段数が多いほど、コンパクトに収納できる。
【００３６】
実施の形態６．
図６は、実施の形態６による方位探知空中線の設置位置決め治具の構造を説明するための図である。
図において、９は剛性を有した杭（支持部材）挿入穴付き位置決め用部材である棒状の杭挿入穴付きパイプ、９ａは杭挿入穴付きパイプ（即ち、剛性を有した杭挿入穴付き位置決め用部材）９の両端子９ｂに設けられた杭挿入穴、６はワイヤロープ、１３はワイヤロープ６を位置決めするための円盤状部材、１３ａは円盤状部材１３の中心部に設けられた杭挿入穴、１４はストッパ（係止部材）である。
なお、ワイヤロープ６は、杭挿入穴付きパイプ９の長さの２倍より若干長い長さを有し、円盤状部材１３の杭挿入穴１３ａを挟んで円盤状部材１３の内部を貫通していると共に、その両端は杭挿入穴付きパイプ９の両端子９ｂにそれぞれ取り付けられている。
【００３７】
前述の実施の形態４による方位探知空中線の設置位置決め治具では、長さの等しい三本の杭挿入穴付きパイプ（剛性を有した杭挿入穴付き位置決め用部材）９を用いて正三角形を形成するが、本実施の形態による方位探知空中線の設置位置決め治具は、図６に示すように１本の杭挿入穴付きパイプ（剛性を有した杭挿入穴付き位置決め用部材）９と、杭挿入穴付きパイプ９の２倍の長さを有した一本のワイヤロープ６とにより、正三角形を形成することを特徴とする。
【００３８】
方位探知空中線を設置する際は、設置地点において、まず、杭挿入穴付きパイプ（剛性を有した杭挿入穴付き位置決め用部材）９を所望の位置に設置し、ポール状の受信空中を鉛直方向に取り付けるための杭４（図示なし）を両端の杭挿入穴９ａに挿入して地中に差込み、固定する。
次に、ワイヤロープ６が貫通している円盤状部材１３を移動させ、ワイヤロープ６が緊張した状態で、杭挿入穴付きパイプ９の両端部に設けられた二つの杭挿入穴９ａの中心と円盤状部材１３の杭挿入穴１３ａの中心とで正三角形を形成する。
図６（ａ）は、正三角形を形成を形成しているときの状態を示す。
【００３９】
そして、この位置でストッパ（係止部材）１４を用いて、ワイヤロープ６と円盤状部材１３とを固定、円盤状部材１３の杭挿入穴１３ａにポール状の受信空中を鉛直方向に取り付けるための杭４（図示なし）を杭挿入穴９ａに挿入して地中に差込み、固定する。
図６（ｂ）はストッパ（係止部材）１４でロープ６と円盤状部材１３が係止しているときを示す図であり、図６（ｃ）は係止していないときを示す図である。
【００４０】
これにより、杭挿入穴付きパイプ９の両端の二つの杭挿入穴９ａと円盤状部材１３の杭挿入穴１３ａに挿入され、鉛直方向に地中に差し込まれ三本の杭４は正三角形を形成するので、これらの杭に取り付けられ三本のポール状の受信空中線は正三角形を形成する位置にできる。
また、収納時は、杭挿入穴付き円盤状部材１３を付けた状態のワイヤロープで杭挿入穴付きパイプ９に巻き付けることで、コンパクトに収納できる。
【００４１】
以上説明したように、本実施の形態による方位探知空中線の設置位置決め治具は、ポール状受信空中線を鉛直方向に固定するための杭（支持部材）が挿入される杭挿入穴を両端部に設けた剛性を有した位置決め用部材と、該位置決め用部材の両端部に連結されたロープと、中心部にポール状受信空中線を鉛直方向に支持するための杭が挿入される杭挿入穴を設ける共に、ロープが貫通する円盤状部材と、ロープを緊張させた状態で剛性を有した位置決め用部材の両端部に設けられた二つの杭挿入穴と円盤状部材に設けられた杭挿入穴とが正三角形を形成する位置で、ロープと円盤状部材を係止する係止部材を備えているので、三本の受信空中線の設置位置を正確な正三角形状に容易にすることができると共に、収納時にはコンパクト収納できる。
【００４２】
実施の形態７．
図７は、実施の形態７による方位探知空中線の設置位置決め治具の構造を説明するための図である。
図において、１５は杭（支持部材）一体型リール式ワイヤロープ巻き取り部材、１６は杭挿入穴付きワイヤロープである。
杭挿入穴付きワイヤロープ１６は、図７（ａ）に示すように一端には杭挿入穴１６ａを有する端子１６ｂが設けられ、他端は杭一体型リール式ワイヤロープ巻き取り部材１５に取り付けられている。
【００４３】
前述の実施の形態３においては、三本の杭挿入穴付きロープ８は所定の同一長さであり、三つの鍔付き杭７（即ち、杭一体型の円盤状部材）と分離可能（着脱可能）な構造であった。
これに対して、本実施の形態による方位探知空中線の設置位置決め治具では、図３（ｂ）に示したような杭挿入穴付きロープ８に代えて、他端が杭一体型リール式ワイヤロープ巻き取り部材１５に取り付けられている杭挿入穴付きワイヤロープ１６を三本用いたことを特徴とする。
【００４４】
なお、三本の杭挿入穴付きワイヤロープ１６を、それぞれ杭一体型リール式ワイヤロープ巻き取り部材１５から全て引き出して緊張にすると、その長さは（即ち、杭挿入穴１６ａの中心と杭一体型リール式ワイヤロープ巻き取り部材１５の杭部の中心軸の間の長さ）同一である。
また、図７（ｂ）は、杭一体型リール式ワイヤロープ巻き取り部材１５に杭挿入穴付きワイヤロープ１６を巻き取ったときの状態を示す図であり、収納時にはロープを巻き取ることにより、コンパクトに収納できる。
【００４５】
以上説明したように本実施の形態による方位探知空中線の設置位置決め治具の三本のロープは、一端に杭（支持部材）挿入穴を有した端子を設け、他端にロープを巻き取る杭一体型リール式ワイヤロープ巻き取り部材を設けたので、三本の受信空中線の設置位置を正確な正三角形状に容易にすることができると共に、収納作業が容易で、かつ、コンパクト収納できる。
【００４６】
実施の形態８．
図８は、実施の形態８による方位探知空中線の設置位置決め治具の構造を説明するための図である。
本実施の形態による方位探知空中線の設置位置決め治具は、実施の形態２による方位探知空中線の設置位置決め治具の杭一体型の円盤状部材５に代えて、図８に示すような、杭（支持部材）一体型リール式ワイヤロープ巻き取り部材１７を３個用いたことを特徴とする。
【００４７】
杭一体型リール式ワイヤロープ巻き取り部材１７からワイヤロープ６を全て引き出して、均等に緊張状態にすると、実施の形態２あるいは７などの場合と同様に、三つの杭一体型リール式ワイヤロープ巻き取り部材１７の杭部は正三角形を形成する。
また、収納時には、杭一体型リール式ワイヤロープ巻き取り部材１７でワイヤロープ６を巻き取ることによりコンパクトに収納できる。
【００４８】
なお、図９は、図８の変形例を示したものである。
図において、４はポール状の受信空中線を鉛直方向に固定するための杭、１８は杭挿入穴１８ａが設けられたリール式ワイヤロープ巻き取り部材である。
本実施の形態では、三つのリール式ワイヤロープ巻き取り部材１８を正三角形を形成する位置に位置決めした後、杭４を杭挿入穴１８ａに挿入し、地中に鉛直方向に差込んで固定する。
さらに、ストッパ挿入用穴４ａにストッパ（ピン）１９を嵌入することにより、リール式ワイヤロープ巻き取り部材１８を確実に固定できる。
なお、図８あるいは図９では、ワイヤロープはリール式ワイヤロープ巻き取り部材の胴部に取り付けられているが、実施の形態２の場合と同様に、鍔部に連結穴を設け、この連結穴にワイヤロープを連結してもよい。
【００４９】
以上説明したように、本実施の形態による方位探知空中線の設置位置決め治具は、実施の形態２よる方位探知空中線の設置位置決め治具の杭一体型の円盤状部材に代えて、杭（支持部材）一体型リール式ワイヤロープ巻き取り部材を用いたので、三本の受信空中線の設置位置を正確な正三角形状に容易にすることができると共に、収納作業が容易で、かつ、コンパクト収納できる。
【００５０】
実施の形態９．
図１０は、実施の形態９による方位探知空中線の設置位置決め治具の構造を説明するための図である。
図において、２０は支持板、２１は板状の剛性を有した位置決め用部材、２１ａは位置決め用部材２２の端部に設けられた杭（支持部材）挿入穴、２２は支持板２０に位置決め用部材２１を回動可能に取り付けるヒンジ（蝶番）である。
本実施の形態による方位探知空中線の設置位置決め治具は、端部に杭挿入穴２１ａを有した位置決め用部材２１をヒンジ（蝶番）２２により支持板２０に回動可能に取り付けられている。
そして、図１０（ａ）に示すように、地面状で三つの位置決め用部材２１を開くと、杭挿入穴２１ａが所定大きさの正三角形を形成することを特徴とする。
【００５１】
図１０（ａ）に示した状態で、ポール状受信空中線１を鉛直方向に設置するための杭４を杭挿入穴２１ａに挿入し、地中鉛直方向に差し込んで固定する。
そして、受信空中線１の嵌合穴１ａに杭４の地上面より突出している側の端部を嵌合させることにより、受信空中線１は鉛直方向に設置される。
なお、図１０（ｂ）は、収納時の状態を示す図であり、ヒンジ（蝶番）２２により位置決め用部材２１をたたみ込むによりコンパクトになる。
また、図１０（ｃ）は、本実施の形態による方位探知空中線の設置位置決め治具の変形例を示したもので、位置決め用部材２１の中央部がヒンジによりさらに折りたためる構造を示している。
このような構造を採用することにより、容易に正三角形が形成できると共に、収納作業が容易で、かつ、コンパクトに収納することができる。
【００５２】
以上説明したように、本実施の形態による方位探知空中線の設置位置決め治具は、支持板と、一端に杭（支持部材）挿入穴を有し、所定長さの剛性を有した三本の位置決め用部材と、支持板に三本の位置決め用部材をそれぞれ回動自在に取り付ける三つのヒンジを備え、ヒンジにより三本の位置決め用部材を地面上に展開すると、三本の位置決め用部材の杭挿入穴が正三角形を形成するので、三本の受信空中線の設置位置を正確な正三角形状に容易にすることができると共に、収納作業が容易で、かつ、コンパクト収納できる。
【００５３】
実施の形態１０．
図１１は、実施の形態１０による方位探知空中線の設置位置決め治具の構造を説明するための図である。
図において、２０は支持板、２３は一端にポール状受信空中線を鉛直方向に固定するための杭（支持部材）４が挿入される杭挿入穴２３ａを有した位置決め用ベルト、２４は位置決め用ベルト２３の他端が取り付けられ、位置決め用ベルト２３を巻き取ることができるベルト巻き取り機構である。
図１１（ａ）は、ベルト巻き取り機構２４に位置決め用ベルト２３が巻き取られている状態を示している。
【００５４】
また、図１１（ｂ）に示すように、支持板２０には、位置決め用ベルト２３が取り付けられた三つのベルト巻き取り機構が配設されている。
そして、この三つのベルト巻き取り機構２４に取り付けられている位置決め用ベルト２３の長さは同一であり、三つのベルト巻き取り機構２４に取り付けられている位置決め用ベルト２３を全て引き出すと、位置決め用ベルト２３の三つの杭挿入穴２３ａは所定大きさの正三角形を形成するように構成されている。
また、位置決め用ベルト２３の巻取り容積が少ないため更にコンパクトな収納が可能である。
【００５５】
以上説明したように、本実施の形態による方位探知空中線の設置位置決め治具は、支持板と、一端に杭（支持部材）挿入穴を設け、所定長さの三本の位置決め用ベルトと、支持板に三本の位置決め用ベルトをそれぞれ巻き取り自在に取り付ける三つのベルト巻き取り機構を備え、三本の位置決め用ベルトをそれぞれベルト巻き取り機構から引き出すと、三本の位置決め用ベルトの杭挿入穴が正三角形を形成するので、三本の受信空中線の設置位置を正確な正三角形状に容易にすることができると共に、収納作業が容易で、かつ、さらにコンパクト収納できる。
【００５６】
実施の形態１１．
図１２は、実施の形態１１による方位探知空中線の設置位置決め治具の構造を説明するための図である。
図において、２５は油圧ユニット、２６はアーム、２７は油圧ポンプである。
油圧ユニット２５に取り付けられているアーム２６は、油圧ポンプ２７の駆動により長さを伸縮自在に変えることができると共に、端部にはポール状受信空中線を鉛直方向に固定するための杭（支持部材）４が挿入される杭挿入穴が設けられている。
そして、このような３本のアーム２６が、油圧ユニット２５の中心に対して等角度で油圧ユニット２５に取り付けられている。
また、油圧ユニット２５は、油圧ポンプ２７の駆動により３本のアームを所定の同じ長さに伸縮して、その状態で固定する。
従って、３本のアームの端部に設けられた杭挿入穴は、所定４大きさの正三角形を容易に精度よく形成することができる。
【００５７】
以上説明したように、本実施の形態による方位探知空中線の設置位置決め治具は、地面上において所定の大きさの正三角形状を形成する三つの頂点位置で鉛直方向に設置されたポール状受信空中線により、電波源方位を探知する方位探知空中線の設置位置決め治具であって、端部に杭（支持部材）挿入穴を設けた３本の伸縮自在なアームと、この３本のアームが取り付けられ、油圧ポンプの駆動により３本のアームの端部に設けられた３つの杭挿入穴が所定大きさの正三角形を形成するように構成された油圧ユニットを備えるので、三本の受信空中線の設置位置を正確な正三角形状に容易にすることができる。
【００５８】
実施の形態１２．
図１３は、実施の形態１２による方位探知空中線の設置位置決め治具の構造を説明するための図である。
図において、２８は位置決めベース、２９は位置決めベース固定用杭、３０は位置決めベース２８に抜き差しする棒状の位置決め用部材である。
位置決めベース２８は、その中央部にポール状受信空中線１を鉛直方向に固定するための杭（支持部材）４が挿入される杭挿入穴が設けられていると共に、位置決めベース固定用杭２９を地中に差し込むことにより地面上に固定される。
【００５９】
また、位置決めベース２８には、位置決めベース２８の中央部に設けた杭挿入用穴の位置を頂点として、１２０度の角度で２ヶ所の位置に、棒状の位置決め用部材３０の一端を挿入することにより位置決め用部材３０を位置決めベース２８に取り付けることのできる位置決め用部材挿入穴３１ａを有した蒲鉾形の位置決め用部材挿入部３１が設けられている。
また、棒状の位置決め用部材３０の他端にはポール状受信空中線１を鉛直方向に固定するための杭４が挿入されるＵ字状の杭挿入溝部あるいは杭挿入穴３０ａが設けられている。
【００６０】
本実施の形態では、まず、一方の蒲鉾形の位置決め用部材挿入部３１の位置決め用部材挿入穴３１ａに棒状の位置決め用部材３０の一端をしっかりと差しこんだ後、位置決め用部材３０の他端に設けられたＵ字状の杭挿入溝部あるいは杭挿入穴３０ａに杭４を挿入して、地中に鉛直方向に差込固定する。
いま、この状態を第一の状態と称することとする。
次に、この棒状の位置決め用部材３０を抜いて、これを他方の蒲鉾形の位置決め用部材挿入部３１の位置決め用部材挿入穴３１ａに棒状の位置決め用部材３０に差し込み、位置決め用部材３０の他端に設けられたＵ字状の杭挿入溝部あるいは杭挿入穴３０ａに杭４を挿入して、地中に鉛直方向に差込固定する。
この状態を第二の状態と称することとする。
【００６１】
第一の状態および第二の状態における棒状の位置決め用部材３０は、同じ位置決め用部材を用いているのであるから、当然第一および第二の状態における棒状の位置決め用部材３０の長さは同一である。
また、第一および第二の状態における棒状の位置決め用部材３０は１２０度の角度を有しているのであるから、位置決めペース２８の中央部の杭挿入穴に挿入して固定された杭と第一および第二の状態における棒状の位置決め用部材３０の他端に設けられたＵ字状の杭挿入溝部あるいは杭挿入穴３０ａに挿入して固定された杭は、正三角形を形成する。
このように、本実施の形態によれば、１つの位置決めペースと一本の位置決め用部材という少ない部材により、ポール状受信空中線を設置するための正三角形を精度よく、容易に形成でき、さらに、収納時もコンパクトに収納できる。
【００６２】
以上説明したように、本実施の形態による方位空中線の設置位置決め治具は、略中央部に杭（支持部材）挿入穴を設けると共に、該杭挿入穴の中心軸を頂点とする１２０度の角度に棒状の位置決め用部材を挿入して固定する第一および第二の位置決め用部材挿入部を有した位置決めベースと、一端が第一あるいは第二の位置決め用部材挿入部に挿入され、他端に杭挿入部が設けられた棒状の位置決め用部材を備え、位置決めベースの略中央部に設けられた杭挿入穴と、第一および第二の位置決め用部材挿入部に挿入されたときの位置決め用部材の他端に設けられた杭挿入部とにより正三角形を形成するので、少ない部材で、ポール状受信空中線を設置するための正三角形を、精度よく、容易に形成でき、さらに、収納時もコンパクトに収納できる。
【００６３】
【発明の効果】
この発明による方位探知空中線の設置位置決め治具は、可撓性を有した材料からなり、平面上で展開すると所定大きさの正三角形になると共に、ポール状空中線を支持するための支持部材が挿入される支持部材挿入穴が各頂点部に設けられているので、三本のポール状受信空中線からなる方位探知空中線の設置位置決め作業を、精度よく、且つ、容易に行えると共に、コンパクトに収納できる方位探知空中線の設置位置決め治具を提供できる。
【００６４】
また、この発明による方位探知空中線の設置位置決め治具は、地面上で所定大きさの正三角形を形成する各頂点位置において鉛直方向に設置された三本のポール状受信空中線により電波源方位を探知する方位探知空中線の設置位置決め治具であって、ポール状空中線を支持するための支持部材の外周に鍔部が一体的に形成された三つの支持部材一体型の円盤状部材と、上記三つの支持部材一体型の円盤状部材の鍔部に設けられている連結穴に連結された同一長さの三本のロープとで構成されているので、三本のポール状受信空中線からなる方位探知空中線の設置位置決め作業を、精度よく、且つ、容易に行えると共に、収納時には、さらにコンパクトに収納できる方位探知空中線の設置位置決め治具を提供できる。
【００６５】
また、ポール状空中線を支持するための支持部材が挿入される支持部材挿入穴を両端に設け、長さが互い等しい三本の剛性を有した支持部材挿入穴付き位置決め用部材で構成されているので、三本の受信空中線の設置位置を正確な正三角形に容易にすることができると共に、収納時の作業も容易に行うことのできる方位探知空中線の設置位置決め治具を提供できる。
【図面の簡単な説明】
【図１】実施の形態１による方位空線設置位置決め治具の構成を説明するための図である。
【図２】実施の形態２による方位空線設置位置決め治具の構成を説明するための図である。
【図３】実施の形態３による方位空線設置位置決め治具の構成を説明するための図である。
【図４】実施の形態４による方位空線設置位置決め治具の構成を説明するための図である。
【図５】実施の形態５による方位空線設置位置決め治具の構成を説明するための図である。
【図６】実施の形態６による方位空線設置位置決め治具の構成を説明するための図である。
【図７】実施の形態７による方位空線設置位置決め治具の構成を説明するための図である。
【図８】実施の形態８による方位空線設置位置決め治具の構成を説明するための図である。
【図９】実施の形態８による方位空線設置位置決め治具の変形例の構成を説明するための図である。
【図１０】実施の形態９による方位空線設置位置決め治具の構成を説明するための図である。
【図１１】実施の形態１０による方位空線設置位置決め治具の構成を説明するための図である。
【図１２】実施の形態１１による方位空線設置位置決め治具の構成を説明するための図である。
【図１３】実施の形態１２による方位空線設置位置決め治具の構成を説明するための図である
【符号の説明】
１  空中線（受信空中線）          １ａ  嵌合穴
２  位置決め用部材（位置決め冶具）
３  杭（支持部材）挿入用端部      ３ａ  杭（支持部材）挿入穴
４  杭（支持部材）                ４ａ  ストッパ挿入用穴
５  杭（支持部材）一体型の円盤状部材
５ａ  連結穴                          ６  ワイヤロープ
７  鍔（つば）付き杭              ７ａ  鍔（つば）
８  杭（支持部材）挿入穴付きワイヤロープ
８ａ  杭（支持部材）挿入穴          ８ｂ  端子
９  位置決め用部材
９ａ  杭（支持部材）挿入穴          ９ｂ  端子
１０  位置決め用部材
１０ａ  杭（支持部材）挿入穴      １０８ｂ  端子
１１  位置決め用部材
１１ａ  杭（支持部材）挿入穴        １１ｂ  端子
１２  位置決め用剛性部材
１２ａ  杭（支持部材）挿入穴        １２ｂ  端子
１３  円盤状部材
１３ａ  杭（支持部材）挿入穴
１４  ストッパ（係止部材）
１５  杭（支持部材）一体型リール式ワイヤロープ巻き取り部材
１６  杭（支持部材）挿入穴付きワイヤロープ
１６ａ  杭（支持部材）挿入穴        １６ｂ  端子
１７  杭（支持部材）一体型リール式ワイヤロープ巻き取り部材
１８  リール式ワイヤロープ巻き取り部材
１８ａ  （支持部材）杭挿入穴        １９  ストッパ（ピン）
２０  支持板                      ２１  位置決め用部材
２１ａ  （支持部材）杭挿入穴        ２２  ヒンジ（蝶番）
２３  位置決め用ベルト          ２３ａ  杭（支持部材）挿入穴２４
２３ｂ  ベルト端部の端子            ２４  ベルト巻き取り機構
２５  油圧ユニット                ２６  アーム
２７  油圧ポンプ                  ２８  位置決めベース
２９  位置決めベース固定用杭
３０  位置決め用剛性部材        ３０ａ  杭（支持部材）挿入部
３１  位置決め用部材挿入部      ３１ａ  位置決め用部材挿入穴
【図１】
2004187209.tif 000003
【図２】
2004187209.tif 000004
【図３】
2004187209.tif 000005
【図４】
2004187209.tif 000006
【図５】
2004187209.tif 000007
【図６】
2004187209.tif 000008
【図７】
2004187209.tif 000009
【図８】
2004187209.tif 000010
【図９】
2004187209.tif 000011
【図１０】
2004187209.tif 000012
【図１１】
2004187209.tif 000013
【図１２】
2004187209.tif 000014
【図１３】
2004187209.tif 000015